(57)【要約】      （修正有）【課題】操作が容易でデザイン上の自由度も高いバイブレーション・マッサージ付靴を提供する。【解決手段】この靴は靴底と中敷との間に制御備品３及びこの制御備品３に制御される複数のバイブレーション備品４が設置される。この場合、制御備品３は、電池３１、ＩＣ制御板３３、スイッチ３２により構成される。バイブレーション備品４は振動波を発生する偏心バイブレーター、管状ケース４４により構成され、偏心バイブレーター及びケース４４は横置に設置される。靴敷きの表面に少なくとも一つのセラミック・ボールが設けられ、バイブレーション備品４によって陰イオンを出すようにする。【選択図】図４
0003151948.tif 000002
【実用新案登録請求の範囲】
【請求項１】
靴底（１ａ）とこの靴底（１ａ）上に仕上られる表革（１ｂ）とからなる靴本体（１）と、
前記靴底（１ａ）の上を覆う中敷（２）と、
前記靴底（１ａ）と前記中敷（２）との間に設置される制御備品（３）及びこの制御備品（３）に制御される複数のバイブレーション備品（４）と、
を備え、
前記制御備品（３）は、一つの電池（３１）と、電池（３１）に電気的に接続され、前記バイブレーション備品（４）を制御するＩＣ制御板（３３）と、前記靴本体（１）の外側に設置され、前記ＩＣ制御板（３３）に電気的に接続されて、電源をオン・オフ制御するスイッチ（３２）とにより構成され、
前記バイブレーション備品（４）は、前記ＩＣ制御板（３３）に電気的に接続され、振動波を発生する偏心バイブレーター（４２）と、偏心バイブレーター（４２）を内蔵し、偏心バイブレーター（４２）を保護する管状ケース（４４）とにより構成され、前記偏心バイブレーター（４２）及びケース（４４）は横置に設置され、
前記靴敷き（２）の表面に少なくとも一つセラミック・ボール（２３）が設けられ、前記セラミック・ボール（２３）は前記バイブレーション備品（４）によって陰イオンを出す、
ことを特徴とするバイブレーション・マッサージ付き靴。
【請求項２】
中敷（２）は足の裏をマッサージするための表面に凸粒（２２）を有する凸塊（２１）を備える請求項１に記載のバイブレーション・マッサージ付き靴。
【請求項３】
バイブレーション備品（４）は、ＩＣ制御板（３３）に電気的に接続される電気回路板（４１）と、電気回路板（４１）に電気的に接続されるＬＥＤ（４３）とを有し、偏心バイブレーター（４２）は電気回路板（４１）に電気的に接続される請求項１又は２に記載のバイブレーション・マッサージ付き靴。
【請求項４】
靴本体（１）は透明又は半透明のプラスチック材質からなる請求項１乃至３のいずれかに記載のバイブレーション・マッサージ付き靴。
【請求項５】
制御備品（３）は少なくとも一つＩＣ制御板（３３）が設けられ、ＩＣ制御板（３３）は靴本体（１）の外側に設置されるバイブレーション・ボタン（３４）に電気的に接続される請求項１乃至４のいずれかに記載のバイブレーション・マッサージ付き靴。
【請求項６】
中敷（２）の下面に複数の凹槽（３５）が設けられ、制御備品（３）及びバイブレーション備品（４）は前記各凹槽（３５）内に設置される請求項１乃至５のいずれかに記載のバイブレーション・マッサージ付き靴。
【請求項７】
靴底（１ａ）の上面に複数の凹槽（１２）が設けられ、制御備品（３）及びバイブレーション備品（４）は前記各凹槽（１２）内に設置される請求項１乃至５のいずれかに記載のバイブレーション・マッサージ付き靴。
【請求項８】
電池（３１）に電気的に接続され、電池（３１）を充電する電源ソケット（１１）が靴本体（１）の外側に設けられる請求項１乃至７のいずれかに記載のバイブレーション・マッサージ付き靴。
【考案の詳細な説明】
【技術分野】
【０００１】
本考案は足をマッサージするバイブレーション？マッサージ付き靴に関する。
【背景技術】
【０００２】
従来より、足の裏のマッサージは心地よく、体が伸びると、血行がよくなり、頭も気持ちもすっきりし、また、体の具合が悪いときは、（一部の）治療に利用されている。近年は、様々なマッサージ靴が出されており、電動足裏マッサージ靴が特許文献１、２により、足ツボマッサージ靴が特許文献３、４により提案されている。
【先行技術文献】
【特許文献】
【０００３】
【特許文献１】台湾特許公告第３２１６９９番「導電マッサージ靴」
【特許文献２】台湾特許公告第３１４５３５番「靴底電動マッサージ装置」
【特許文献３】台湾特許公告第３５３６５６番「玉磁石マッサージ靴」
【特許文献４】台湾特許公告第３１７１８４番「磁性マッサージ靴改良」
【考案の概要】
【考案が解決しようとする課題】
【０００４】
しかしながら、上記各従来のマッサージ付き靴においては、次のような課題がある。
（１）上記特許文献１の導電マッサージ靴では、マッサージ靴のスイッチをズボンのポケット内に入れ、スイッチから靴底の導電片まで導線があるため、不注意で不測の事故が起こりやすく、また、靴底に内蔵の導電片は振動しないので、使用上の効果が限られていて、改善の余地がある。
（２）上記特許文献２の靴底電動マッサージ装置では、マッサージ靴の偏心モータが靴内の円型のカバーに内蔵され、振動マッサージの機能を有するが、磁石及び陰イオン的物理治療等の機能が一切なく、また、靴底のスプリングにより、振動力が弱めになり、マッサージ効果も減り、本考案により解決したい課題である。
（３）また、マッサージ靴のスイッチが靴上面に設置されるため、使用者に不便であり、足に圧迫感があり、しかも、デザインが限られるから理想的ではなく、本考案の解決したい課題である。
（４）さらに、電池の容量が無くなると、蓋を開いて電池を交換しなければならないため、使用者にとって不便であり、しかも、使用済みの電池は環境に良くないので、本考案の解決したい課題である。
（５）上記特許文献３の玉磁石マッサージ靴及び特許文献４の磁性マッサージ靴改良では、磁性物理作用があるが、振動マッサージの機能が無く、マッサージ装置があれば、機能の向上になり、本考案の解決したい課題である。
【０００５】
本考案は、このような従来の課題を解決すること、を目的とする。
【課題を解決するための手段】
【０００６】
上記の目的を達成するために、本考案のバイブレーション・マッサージ付き靴は、靴底（１ａ）の上に靴敷き（２）を覆い、靴底（１ａ）と靴敷き（２）の間に制御備品（３）を設け、及び制御備品（３）に制御されるのバイブレーション備品（４）に幾つを靴底（１ａ）と靴敷き（２）の間に設け、また、靴底（１ａ）と表革（１ｂ）を仕上げて靴本体（１）になり、該制御備品（３）は一つの電池（３１）、電池（３１）に電気接続してバイブレーション備品（４）の制御をするのＩＣ制御板（３３）及び、靴本体（１）の外側にＩＣ制御板（３３）に電気接続し、電源のオン？オフを制御するのスイッチ（３２）等で構成、上記のバイブレーション備品（４）はＩＣ制御板（３３）に電気接続し、その中、偏心バイブレーター（４２）は振動波を生じ、また、偏心バイブレーター（４２）を保護するために偏心バイブレーター（４２）に内蔵の管状ケース（４４）、等で構成し、該偏心バイブレーター（４２）及びケース（４４）は横置設置、上記の靴敷き（２）の表面には少なくとも一つのセラミック？ボール（２３）を設け、また、セラミック？ボール（２３）はバイブレーション備品（４）によって負離子を出されるなどを特徴とする。
【０００７】
また、このバイブレーション・マッサージ付き靴は各部に次のような構成を有する。（ａ）上記の靴敷き（２）は足裏をマッサージするため、表面に凸粒（２２）だらけの凸塊（２１）を有する。
（ｂ）ＩＣ制御板（３３）に電気接続の電気回路板（４１）を設けられ、また、電気回路板（４１）に電気接続のＬＥＤ（４３）を有し、且つ、偏心バイブレーター（４２）を電気回路板（４１）に電気接続。
（ｃ）バイブレーション？マッサージ靴（靴本体（１））は透明また、半透明のプラスチック材質。
（ｄ）少なくとも一つのＩＣ制御板（３３）を制御備品（３）に設けられ、ＩＣ制御板（３３）は靴本体（１）の外側に設置され、且つバイブレーション？ボタン（３４）に電気接続。
（ｅ）制御備品（３）及びバイブレーション備品（４）は靴敷き（２）下端の各凹槽（３５）内に設けられる。
（ｆ）制御備品（３）及びバイブレーション備品（４）は靴底（１ａ）上端の各凹槽（１２）内に設けられる。
（ｇ）電池（３１）に電気接続、且つ、電池（３１）を充電するための電源ソケット（１１）を靴本体（１）の外側に設けられる。
【考案の効果】
【０００８】
本考案は、上記の構成により、次（ａ）〜（ｅ）のような作用、効果を奏する。
（ａ）このマッサージ付き靴では、靴のバイブレーション備品（４）より、足ツボに刺激を与え、ストレスを解消し、血行をよくするなどの健康を保持する作用がある。また、バイブレーション備品（４）は靴底の一部に内蔵されるため、靴敷きで隠す必要が無い。セラミック？ボール（２３）はバイブレーション備品（４）によって陰イオンを出すため、新陳代謝を促進し、身体の健康を維持する効果がある。
（ｂ）このマッサージ付き靴では、制御備品（３）及びバイブレーション備品（４）が靴底（１ａ）と靴敷き（２）の間に設けられるため損傷することがなく、バイブレーション・ボタン（３４）は靴本体（１）の外側に設置されるため、操作しやすく、しかも導線が無いので、従来のマッサージ付き靴のような欠点がない。
（ｃ）このマッサージ付き靴では、靴本体（１）の材質がプラスチックであり、靴敷き（２）の材質がプラスチック又は発泡ＥＶＡであるので、適度の柔軟性及び弾力性を有し、足に適切な緩衝効果を与え、そのうえ、制御備品（３）及びバイブレーション備品（４）を保護することができる。
（ｄ）このマッサージ付き靴では、靴本体（１）は、祷電池の電池（３１）を充電するための電源ソケット（１１）が設けられているので、充電器を電源ソケット（１１）に挿しこむことで、充電することができ、電池の交換は不要であり、便利で環境に優しい。
（ｅ）このマッサージ付き靴では、靴本体（１）のバイブレーション備品（４）にＬＥＤ（４３）が設置され、ＬＥＤ（４３）はバイブレーション備品（４）からの電力により作動し、また、靴本体（１）が透明又は半透明のプラスチック材質であるため、ＬＥＤ（４３）が光ると、靴底（１ａ）から光が見え、しかも、この光によりバイブレーション備品（４）の状態、振動の順番及び震波が分かる利点がある。
【図面の簡単な説明】
【０００９】
【図１】本考案の一実施の形態におけるマッサージ付き靴を示す、特に右側の靴本体を右側から見た斜視図
【図２】同靴を示す、特に右側の靴本体を左側から見た斜視図
【図３】同靴に採用される靴敷きを示す平面図
【図４】同靴の内部に配置される電気回路装置及び振動装置を示す平面図
【図５】同靴を同靴の内部（靴敷きの下部）に配置される振動装置とともに示す側面断面図
【図６】同靴を同靴の内部（靴底の上部）に配置される振動装置とともに示す側面断面図
【図７】（ａ）同靴に採用される振動装置を示す一部断面斜視図（ｂ）同靴に採用される振動装置を示す一部断面側面図
【図８】同靴に採用されるＩＣ制御板の電気回路を示す図
【考案を実施するための形態】
【００１０】
次に、この考案を実施するための形態について図を用いて説明する。図１、図２及び図４に示すように、バイブレーション・マッサージ靴は靴底１ａの上に靴底１ａ上面を覆う靴敷き（中敷）２が設けられ、靴底１ａと靴敷き２の間に制御備品３と、制御備品３に制御される複数のバイブレーション備品４が設置されて構成される。
【００１１】
図４に示すように、制御備品３は一つの電池３１と、電池３１に電気的に接続され、バイブレーション備品４を制御するＩＣ制御板３３と、靴本体１の外側に設置され、ＩＣ制御板３３に電気的に接続されて、電源をオン・オフ制御するスイッチ３２等で構成される。
【００１２】
バイブレーション備品４は、ＩＣ制御板３３に電気的に接続され、振動波を発生する偏心バイブレーター４２と、偏心バイブレーター４２を内蔵し、偏心バイブレーター４２を保護する管状のケース４４とにより構成される。この場合、偏心バイブレーター４２及びケース４４は横置に設置される。図３及び図５に示すように、靴敷き２の表面には、セラミックで作られたボールで陰イオンというエネルギーを有するセラミック・ボール２３が少なくとも一つ設けられ、このセラミック・ボール２３がバイブレーション備品４によって陰イオンを出すようになっている。
【００１３】
図３に示すように、靴敷き２は足の裏をマッサージするため、表面に複数の凸粒２２を有する複数の凸塊２１を有する。
【００１４】
図４に示すように、振動装置４は５つあり、振動装置４の設置部分が適宜５つに分けられて、第１振動区５１、第２振動区５２、第３振動区５３、第４振動区５４、及び第５振動区５５があり、各振動装置４は各振動区に設置される。これらの振動装置４により足ツボをマッサージする。
【００１５】
図７に示すように、ＩＣ制御板３３に電気的に接続される電気回路板４１が設けられ、この電気回路板４１に偏心バイブレーター４２とＬＥＤ４３が電気的に接続される。
【００１６】
靴本体１は透明又は半透明のプラスチック材質からなり、ＬＥＤ４３が光ると、靴底１ａから光が見え、この光によりバイブレーション備品４の状態、振動の順番及び震波が分かるようになっている。
【００１７】
図２に示すように、この装置の操作を簡易にするため、制御備品３は、制御備品３のＩＣ制御板３３に電気的に接続されるバイブレーション・ボタン３４が靴本体１の外側に設けられる。
【００１８】
図５に示すように、制御備品３及びバイブレーション備品４は靴敷き２下面の各凹槽３５内に設けられてもよく、図６に示すように、制御備品３及びバイブレーション備品４は靴底１ａ上面の各凹槽１２内に設けられてもよく、いずれの場合も、制御備品３及びバイブレーション備品４が凹槽に内蔵されることで、揺れることがなく安定して設置される。
【００１９】
図１に示すように、祷電池の電池３１を充電するための電源ソケット１１が設けられ、充電器を電源ソケット１１に挿しこむだけで充電することができ、電池の交換は不要で便利であり、環境にも優しい。
【００２０】
図８にＩＣ制御板の電気回路を示している。スイッチ３２をオンにすることにより、電池３１から電流がＩＣ制御板３３に流れ、何れかのバイブレーション・ボタン３４を押せば、バイブレーション備品４の偏心バイブレーター４２が動き、さらに、陰イオンエナジーを有するセラミック・ボール２３を動してマッサージが始まり、使用者は任意にバイブレーション・ボタン３４で振動モードを選べばよい。また、ＬＥＤ４３が光ると、靴底１ａから光が見え、この光によりバイブレーション備品４の状態、振動の順番及び震波が分かる。
【００２１】
以上のように、本考案の構造、特徴、作動及び効果は新規性及び創作性要件を備えているため、この実用新案登録出願を提出する。
【符号の説明】
【００２２】
１  靴本体
１１  電源ソケット
１２  槽
２  靴敷き
２１  凸の塊
２２  凸の粒
２３  セラミック・ボール
３  制御備品
３１  バッテリ
３２  スイッチ
３３  ＩＣ制御板
３４  バイブレーション・ボタン
３５  凹槽
４  バイブレーション備品
４１  電気回路板
４２  偏心バイブレーター
４３  ＬＥＤ
４４  ケース
５１  第１バイブレーション区
５２  第２バイブレーション区
５３  第３バイブレーション区
５４  第４バイブレーション区
５５  第５バイブレーション区
【図１】
0003151948.tif 000003
【図２】
0003151948.tif 000004
【図３】
0003151948.tif 000005
【図４】
0003151948.tif 000006
【図５】
0003151948.tif 000007
【図６】
0003151948.tif 000008
【図７】
0003151948.tif 000009
【図８】
0003151948.tif 000010